(57)【要約】【課題】光ディスクに記録されたコピー制御用の情報の秘匿性を確保する。【解決手段】光ディスク１に、ピットデータＤＰに応じて長短とされる記録マークが、ウォブルデータＤＷを所定の変調方式で変調して得たウォブル信号ＷＢに応じて、その読取方向と交わる方向に変動した位置に形成されている。ウォブルデータＤＷの開始位置からずれた位置にダミーの第２ウォブル同期信号Ｄ−ＳＹＮＣｗが記録される。【選択図】      図２
2005038458.tif 000002
【特許請求の範囲】
【請求項１】
第１データに応じて長短とされる記録マークが、第２データを所定の変調方式で変調して得た信号に応じて、当該記録マークの読取方向と交わる方向に変動した位置に形成された情報記録媒体において、
前記第２データの開始位置からずれた位置にダミーの第２同期信号が記録される
ことを特徴とする情報記録媒体。
【請求項２】
前記第２データの所定位置には前記第１データの同期信号と同期した第１同期信号が記録されることを特徴とする請求項１に記載の情報記録媒体。
【請求項３】
前記第１同期信号は暗号化されて記録されると共に、前記第２同期信号は前記暗号化処理に係る第１情報及び前記第１同期信号の記録位置を示す第２情報を含むことを特徴とする請求項２に記載の情報記録媒体。
【請求項４】
前記第１同期信号は、所定の乱数系列又は所定の暗号化テーブルを用いて暗号化されており、前記暗号化処理に係る情報は、前記所定の乱数系列を指定する乱数系列番号又は前記所定の暗号化テーブルを指定する暗号化テーブル番号であることを特徴とする請求項３に記載の情報記録媒体。
【請求項５】
前記第２同期信号は、当該同期信号が配置された位置に置かれるべき前記第２データの一部の記録位置を示す位置情報を含むことを特徴とする請求項１に記載の情報記録媒体。
【請求項６】
前記所定の変調方式はスペクトラム拡散変調方式であることを特徴とする請求項１に記載の情報記録媒体。
【請求項７】
第１データに応じて長短とされる記録マークが、第２データを所定の変調方式で変調して得た信号に応じて、当該記録マークの読取方向と交わる方向に変動した位置に形成されると共に、前記第２データの開始位置からずれた位置にダミーの第２同期信号が記録された情報記録媒体を再生する情報再生装置において、
前記情報記録媒体に記録された前記記録マークを読取る読取手段と、
前記読取手段の出力信号に基づき、前記記録マークの変動位置を示すウォブル信号を生成するウォブル信号生成手段と、
前記生成されたウォブル信号から前記第２データを再生する第２データ再生手段と、
前記再生された第２データから前記第２同期信号を除去する同期信号除去手段と、
を備えたことを特徴とする情報再生装置。
【請求項８】
前記情報記録媒体は、前記第２データの所定位置に前記第１データの同期信号と同期すると共に暗号化された第１同期信号が記録されており、前記第２同期信号は前記暗号化に係る第１情報及び前記第１同期信号の記録位置を示す第２情報を含み、
前記情報再生装置は更に、
前記再生された第２データから前記第２同期信号を検出する第２同期信号検出手段と、
前記検出された第２同期信号から、前記第１情報及び前記第２情報を抽出し、前記抽出した第２情報に基づいて前記第２データに含まれる暗号化された前記第１同期信号を分離し、前記第１情報を用いて暗号化された前記第１同期信号を復号化して、前記第１同期信号を検出する第１同期信号検出手段と、
を備えたことを特徴とする請求項７記載の情報再生装置。
【請求項９】
前記第２同期信号は当該同期信号が配置された位置に置かれるべき前記第２データの一部の記録位置を示す位置情報を含み、
前記情報再生装置は更に、
前記位置情報に基づき、前記第２データを正規の位置に戻す置換手段を備えたことを特徴とする請求項７記載の情報再生装置。
【請求項１０】
第１データに応じて長短とされる記録マークが、第２データを所定の変調方式で変調して得た信号に応じて、当該記録マークの読取方向と交わる方向に変動した位置に形成されると共に、前記第２データの開始位置からずれた位置にダミーの第２同期信号が記録された情報記録媒体を再生する情報再生方法において、
前記情報記録媒体に記録された前記記録マークを読取る読取ステップと、
前記読取手段の出力信号に基づき、前記記録マークの変動位置を示すウォブル信号を生成するウォブル信号生成ステップと、
前記生成されたウォブル信号から前記第２データを再生する第２データ再生ステップと、
前記再生された第２データから前記第２同期信号を除去する同期信号除去ステップと、
を備えたことを特徴とする情報再生方法。
【発明の詳細な説明】
【０００１】
【発明の属する技術分野】
本発明は、光ディスク等の情報記録媒体及び当該媒体から情報を再生する技術に関する。
【０００２】
【従来の技術】
ＣＤやＤＶＤに代表される光ディスクでは、ピットの長短で情報を記録している。しかし、例えば、不正コピー防止等のためのコピー制御情報を記録するため、ピットによる記録容量を減少させることなく別の記録領域を確保したいという要求がある。
【０００３】
ピットの長短による方法以外の手段によって記録容量を高める方式として、ピットの位置を光ディスクの半径方向に変動させる技術が知られている。この技術は、ピットの位置を光ディスクの半径方向にウォブリングさせ、そのウォブルをスペクトラム拡散することで情報を記録するものである（例えば、特許文献１）
【０００４】
この技術は、コピー制御用の情報を含む所定のデータに同期信号を付加し、これをランダムデータでスペクトラム拡散してウォブル信号を生成し、ウォブル信号に応じて記録マークの位置をウォブリングさせる。この場合、ウォブルがスペクトラム拡散されているため、所定のデータの秘匿性をある程度高めることができる。
【０００５】
【特許文献１】
特開２００３−８５８９６号公報
【０００６】
【発明が解決しようとする課題】
ところで、同期信号は、特定のデータパターンを有し、一定の周期で所定のデータに付加されている。従って、光ディスクからウォブル信号を再生し、再生したウォブル信号から特定のデータパターンの同期信号を検出される可能性がある。すると、同期信号を手がかりに所定のデータが再生されてしまい、著作権等の情報に係るコピー制御用の情報の秘匿性を確保できないという問題が生じる。
【０００７】
本発明が解決しようとする課題としては、記録されたコピー制御用の情報の秘匿性を確保する情報記録媒体を提供することが一例として挙げられる。
【０００８】
【課題を解決するための手段】
請求項１に記載の発明は、第１データに応じて長短とされる記録マークが、第２データを所定の変調方式で変調して得た信号に応じて、当該記録マークの読取方向と交わる方向に変動した位置に形成された情報記録媒体において、前記第２データの開始位置からずれた位置にダミーの第２同期信号が記録されることを特徴とする。
【０００９】
請求項７に記載の発明は、第１データに応じて長短とされる記録マークが、第２データを所定の変調方式で変調して得た信号に応じて、当該記録マークの読取方向と交わる方向に変動した位置に形成されると共に、前記第２データの開始位置からずれた位置にダミーの第２同期信号が記録された情報記録媒体を再生する情報再生装置において、前記情報記録媒体に記録された前記記録マークを読取る読取手段と、前記読取手段の出力信号に基づき、前記記録マークの変動位置を示すウォブル信号を生成するウォブル信号生成手段と、前記生成されたウォブル信号から前記第２データを再生する第２データ再生手段と、前記再生された第２データから前記第２同期信号を除去する同期信号除去手段と、を備えることを特徴とする。
【００１０】
請求項１０に記載の発明は、第１データに応じて長短とされる記録マークが、第２データを所定の変調方式で変調して得た信号に応じて、当該記録マークの読取方向と交わる方向に変動した位置に形成されると共に、前記第２データの開始位置からずれた位置にダミーの第２同期信号が記録された情報記録媒体を再生する情報再生方法において、前記情報記録媒体に記録された前記記録マークを読取る読取ステップと、前記読取手段の出力信号に基づき、前記記録マークの変動位置を示すウォブル信号を生成するウォブル信号生成ステップと、前記生成されたウォブル信号から前記第２データを再生する第２データ再生ステップと、前記再生された第２データから前記第２同期信号を除去する同期信号除去ステップと、を備えたことを特徴とする。
【００１１】
【発明の実施の形態】
以下、本発明の好適な実施の形態について説明する。本発明の一実施形態に係る情報記録媒体は、円盤状の形状をしており、例えば、ＣＤ（Ｃｏｍｐａｃｔ  Ｄｉｓｃ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）などの種々の光ディスクが含まれる。
【００１２】
情報記録媒体には、周回状のトラックに沿って記録マークがピットとして形成されている。この記録マークの長短に応じて第１データが記録される。また、トラックは、これを拡大して見ると、読取方向と交わる方向に蛇行している。トラックの蛇行はウォブルと呼ばれ、信号（ウォブル信号）に応じた形状となっている。ウォブル信号は、第２データを所定の変調方式で変調を施して得られる。換言すれば、記録マークはウォブル信号に応じてその読取方向と交わる方向に変動した位置に形成されている。
【００１３】
情報記録媒体には、第２データの開始位置からずれた位置にダミーの第２同期信号が記録される。よって、情報記録媒体に記録された第２データにおいて、同期信号が配置されている位置を知らない不正コピー業者が、第２データより同期信号を検出するのは困難となる。その結果、情報記録媒体から第２データを再生するのも困難となり、第２データの秘匿性を大幅に向上させることができる。特に、第２データとして、不正コピー防止等のためのコピー制御情報を採用する場合には、不正な複製を有効に禁止することができる。
【００１４】
また、第２データの所定位置には第１データの同期信号と同期した第１同期信号が記録されるのが好ましい。この場合には、第１データの同期信号を検出することで容易に第２データの再生を行うことができる。一方、第２データの所定位置に第１データの同期信号と同期した第１同期信号が配置されていることを知らない不正コピー業者は、第２データより第１同期信号を検出するのは困難となる。
【００１５】
くわえて、第１同期信号は暗号化されて記録されると共に、第２同期信号は暗号化処理に係る第１情報及び第１同期信号の記録位置を示す第２情報を含むのが好ましい。よって、第２データの再生は、情報記録媒体より第２同期信号を検出し、更にこの第２同期信号に含まれる情報に基づいて第１同期信号を復号化しなければならない。従って、第２データより第１同期信号を検出するのはより困難となり、第２データの秘匿性を更に向上させることが可能となる。
【００１６】
また、第１同期信号は、所定の乱数系列又は所定の暗号化テーブルを用いて暗号化されており、暗号化処理に係る情報は、所定の乱数系列を指定する乱数系列番号又は所定の暗号化テーブルを指定する暗号化テーブル番号であるのが好ましい。この場合、第１同期信号に施された暗号化を解くための「鍵」として、乱数系列番号又は暗号化テーブル番号を用いることができ、その結果、容易に第２データを再生することが可能となる。
【００１７】
さらに、第２同期信号は、当該同期信号が配置された位置に置かれるべき第２データの一部の記録位置を示す位置情報を含むことが好ましい。この場合、第２データの再生は、この位置情報を参照して、ウォブルデータの中から第２データの一部を特定し、特定した第２データの一部と第２同期信号との記録位置を入れ替えることによって行わなければならない。従って、第２データを再生するのはより困難となり、第２データの秘匿性を更に向上させることが可能となる。
【００１８】
くわえて、所定の変調方式はスペクトラム拡散変調方式であるのが好ましい。このスペクトラム拡散によって、情報記録媒体からウォブル信号を再生してもノイズにしか見えないため、第２データの秘匿性をより一層向上させることができる。
【００１９】
次に、本実施形態に係る情報再生装置について説明する。この情報再生装置は、所定の情報記録媒体から第２データを再生する。当該情報記録媒体には、第１データに応じて長短とされる記録マークが、第２データを所定の変調方式で変調して得た信号に応じて、当該記録マークの読取方向と交わる方向に変動した位置に形成されている。また、第２データの開始位置からずれた位置にダミーの第２同期信号が記録されている。
【００２０】
情報再生装置は、読取手段、ウォブル信号生成手段、第２データ再生手段、及び同期信号除去手段を備える。読取手段は、情報記録媒体に記録された記録マークを読取る。ウォブル信号生成手段は、読取手段の出力信号に基づき、記録マークの変動位置を示すウォブル信号を生成する。第２データ再生手段は、生成されたウォブル信号から第２データを再生する。同期信号除去手段は、再生された第２データから前記第２同期信号を除去する。
【００２１】
この情報再生装置では、同期信号除去手段が、第２データから第２同期信号を除去することにより、実データを容易に再生することが可能となる。
【００２２】
【実施例】
次に、本発明の好適な実施例について、図面を参照して説明する。
【００２３】
＜１．第１実施例＞
＜１−１：光ディスクの基本構成＞
本実施例では、情報記録媒体としてＤＶＤを一例として取り上げて説明するが、本発明はこれに限定されるものではないことは勿論である。図１に光ディスク１に形成されるトラックを示す。光ディスク１には、周回状のトラックに沿って記録マークがピットＰとして形成されている。この記録マークの長短に応じてピットデータＤＰが記録される。また、トラックは、これを拡大して見ると、読取方向と交わる方向に蛇行している。トラックの蛇行はウォブルと呼ばれ、ウォブル信号ＷＢに応じた形状となっている。ウォブル信号ＷＢは、ウォブルデータＤＷに基づいて生成される。即ち、この光ディスク１にはピットデータＤＰの他に記録マークの蛇行によってウォブルデータＤＷが重畳的に記録されている。ピットデータＤＰは画像や音声などの情報を有し、ウォブルデータＤＷはコピー情報等の著作権の管理情報を有する。尚、ピットデータＤＰは上述した第１データに相当し、ウォブルデータＤＷは上述した第２データに相当する。
【００２４】
図２に、ピットデータＤＰ及びウォブルデータＤＷのデータフォーマットを示す。本実施例では、エラー訂正コードが付加されるピットデータＤＰのデータ単位をＥＣＣブロックという。図２に示すように、１個のＥＣＣブロックは１６個のセクターを含み、１個のセクターは２６個の同期フレームを含む。そして、同期フレームの先頭にピット同期信号ＳＹＮＣｐが配置される。また、ピットデータＤＰの１セクターに対応して、３×２５バイトから構成されるウォブルデータＤＷの１セクターには、３バイトの第１ウォブル同期信号ＳＹＮＣｗが配置される。セクター先頭によって、ウォブルデータＤＷの開始位置が規定される。図２に示すように、第１ウォブル同期信号ＳＹＮＣｗは、ウォブルデータＤＷの各セクターの先頭に配置される。即ち、第１ウォブル同期信号ＳＹＮＣｗは、一定の間隔でウォブルデータＤＷに挿入される。
【００２５】
また、図２に示すように、ウォブルデータＤＷには、各セクターに一つのダミーの同期信号である第２ウォブル同期信号Ｄ−ＳＹＮＣｗが配置される。なお、各セクターに複数の第２ウォブル同期信号Ｄ−ＳＹＮＣｗを配置しても良い。第２ウォブル同期信号Ｄ−ＳＹＮＣｗの少なくともＳｙｎｃ判別信号パターンは第１ウォブル同期信号ＳＹＮＣｗと同一である。光ディスク１におけるウォブルデータＤＷの記録領域に対して、第２ウォブル同期信号Ｄ−ＳＹＮＣｗは、第１ウォブル同期信号ＳＹＮＣｗが配置された位置と異なる位置に記録される。そして、光ディスク１において、第１ウォブル同期信号ＳＹＮＣｗに対する第２ウォブル同期信号Ｄ−ＳＹＮＣｗの相対的な記録位置は第２ウォブル同期信号Ｄ−ＳＹＮＣｗ毎に異なっており、不規則となっているのが好ましい。尚、第１ウォブル同期信号ＳＹＮＣｗは上述した第１同期信号に相当し、第２ウォブル同期信号Ｄ−ＳＹＮＣｗは上述した第２同期信号に相当する。
【００２６】
このように本実施例において、第２ウォブル同期信号Ｄ−ＳＹＮＣｗは、ウォブルデータＤＷに挿入されて配置されるものの、それ自体、ウォブルデータＤＷに対して独立している。即ち、第２ウォブル同期信号Ｄ−ＳＹＮＣｗは、第１ウォブル同期信号ＳＹＮＣｗのダミーの同期信号とみなすことができる。
【００２７】
また、本実施例では、第１ウォブル同期信号ＳＹＮＣｗはピットデータＤＰに配置されたピット同期信号ＳＹＮＣｐに同期する。よって、このような第１ウォブル同期信号ＳＹＮＣｗの規則的な周期を知らない不正コピー業者が、光ディスク１よりウォブルデータＤＷを再生しようとしても、第１ウォブル同期信号ＳＹＮＣｗと第２ウォブル同期信号Ｄ−ＳＹＮＣｗのいずれが真の同期信号か判断するのは困難である。従って、本実施例によれば、ウォブルデータＤＷの秘匿性を向上させることが可能となる。
【００２８】
＜１−２：マスタリング装置の全体構成＞
図３は、マスタリング装置の全体構成を示すブロック図である。マスタリング装置１００は、光ディスク１のディスク原盤ＤＳを作成するための装置であり、記録ユニット２、ディスク原盤ＤＳを回転させるスピンドルモータ３及びサーボユニット４を備える。ディスク原盤ＤＳは、例えば、フォトレジストを塗布したガラス原盤として構成される。記録ユニット２は、レーザー光を照射するレーザーダイオード、レーザー光をディスク原盤ＤＳに集光させる光学系、レーザーダイオード及び光学系を一体として、ディスク原盤ＤＳの半径方向に移動させるスライダー装置を備える。レーザーダイオードは、ドライバ１５から供給される駆動信号に応じたパワーのレーザー光を発光する。スライダー装置はサーボユニット４からの制御信号に従って、光学系及びレーザーダイオードをディスク原盤ＤＳの半径方向に移動させる。
【００２９】
サーボユニット４には、第１クロック信号ＣＫ１及びピット同期信号ＳＹＮＣｐが供給される。サーボユニット４は、これらの信号に同期して、スピンドルモータ３の回転を制御するスピンドルサーボ、レーザー光のフォーカスを制御するフォーカスサーボ及びスライダー装置を制御するスライドサーボを実行する。このうち、スライドサーボでは、螺旋状のトラックを形成するための信号にウォブル信号ＷＢを加算して制御信号が生成され、この制御信号によってスライダー装置が制御される。
【００３０】
第１クロック信号ＣＫ１は第１クロック信号発生回路２１によって生成される。この例において、第１クロック信号ＣＫ１の周波数は１０．５ＭＨｚである。第１クロック信号ＣＫ１はピットデータＤＰの時間基準となる。また、分周回路２２は、第１クロック信号ＣＫ１を分周して第２クロック信号ＣＫ２等を生成する。第２クロック信号ＣＫ２の周波数は４２０ＫＨｚであり、ウォブル信号ＷＢの生成に用いられ、その時間基準となる。
【００３１】
マスタリング装置１００には、外部機器から入力データＤｉｎが供給される。入力データＤｉｎはインターフェース１０を介してバッファ１１に取り込まれる。バッファ１１に取り込まれた入力データＤｉｎは、ＣＰＵの制御の下、ピットデータＤＰと、ウォブルデータＤＷとに分割され、ピットデータメモリ１２とウォブルデータメモリ１６とに各々転送される。
【００３２】
ＣＰＵは、ピットデータメモリ１２からピットデータＤＰを読み出してＥＣＣ生成回路１３に供給する。ＥＣＣ生成回路１３はピットデータＤＰのデータ順を予め定められた規則に従って並べ替えるスクランブル処理を施した後、エラー訂正コードを生成し、これに付加する。ＤＶＤ変調回路１４は、ＥＣＣ生成回路１３の出力データに変調を施したピットデータＤＰを生成する。このピットデータＤＰには、ＳＹＮＣタイミング生成回路２３で生成されたピット同期信号ＳＹＮＣｐが付加される。
【００３３】
一方、ウォブルデータメモリ１６に記憶されたウォブルデータＤＷは、ＣＰＵの制御の下、そこから読み出されてＥＣＣ生成回路１７に供給される。ＥＣＣ生成回路１７は、ウォブルデータＤＷのデータ順を並べ替えるスクランブル処理を施した後、ウォブルデータＤＷに基づいて生成したエラー訂正コードを付加する。
【００３４】
ＲＡＮＤテーブル１８にはスペクトラム拡散に用いられるランダム化パターンが記憶されている。ランダム化パターンは拡散符号に相当し、ランダム関数を用いて生成されるビット列である。ＲＡＮＤテーブル１８には第２クロック信号ＣＫ２が供給され、第２クロック信号ＣＫ２に同期してランダム化パターンが読み出され、ランダムデータＲＮＤとしてスペクトラム拡散変調回路１９に供給される。
【００３５】
ＳＹＮＣタイミング生成回路２３は、第１ウォブル同期信号ＳＹＮＣｗを生成し、ダミーＳＹＮＣ生成回路２４は所定の規則に従って第２ウォブル同期信号Ｄ−ＳＹＮＣｗを生成する。具体的には、ダミーＳＹＮＣ生成回路２４は、第２ウォブル同期信号Ｄ−ＳＹＮＣｗを、第１ウォブル同期信号ＳＹＮＣｗが生成されるタイミングからランダムな時間遅延したタイミングで発生させる。
【００３６】
スペクトラム拡散変調回路１９は、ＳＹＮＣタイミング生成回路２３が第１ウォブル同期信号ＳＹＮＣｗを生成するタイミングに基づいて、ウォブルデータＤＷに第１ウォブル同期信号ＳＹＮＣｗを付加すると共に、ダミーＳＹＮＣ生成回路２４が第２ウォブル同期信号Ｄ−ＳＹＮＣｗを生成するタイミングに基づいて、ウォブルデータＤＷに第２ウォブル同期信号Ｄ−ＳＹＮＣｗを付加する。
【００３７】
そして、スペクトラム拡散変調回路１９は、第１及び第２ウォブル同期信号ＳＹＮＣｗ及びＤ−ＳＹＮＣｗが付加されたウォブルデータＤＷとランダムデータＲＮＤとを乗算してスペクトラム拡散データＳＳを生成する。スペクトラム拡散変調回路１９は、例えば、イクスシブル・オア回路ＸＯＲによって構成することができる。
【００３８】
ウォブル信号生成回路２０は、スペクトラム拡散データＳＳに帯域制限を施してウォブル信号ＷＢを生成する。この場合、ウォブル信号生成回路２０は、例えば、バンドパスフィルタやローパスフィルタによって構成することができる。
【００３９】
マスタリング装置１００によって記録マークが形成されたディスク原盤ＤＳは、現像され、レジスト原盤となる。この後、レジスト原盤を基にメッキを行う電鋳プロセスを経て、メタルマスタを１枚作成し、１枚のメタルマスタから複数枚のマザーを作成する。さらに、複数枚のマザーから複数枚のスタンパを作成する。このスタンパを用いてプラスッチック等の樹脂をプレス加工することによって光ディスク１が製造される。
【００４０】
＜１−３．情報再生装置＞
次に、情報再生装置について説明する。図４は情報再生装置２００の全体構成を示すブロック図である。
【００４１】
情報再生装置２００は、情報記録媒体である光ディスク１に対して再生ビームを照射するとともに反射光に応じた信号を出力する光ピックアップ２０２と、光ディスク１の回転を制御するスピンドルモータ２０３と、サーボユニット２２２を備える。サーボユニット２２２には、第１クロック信号ＣＫ１及びピット同期信号ＳＹＮＣｐが供給される。サーボユニット２２２は、これらの信号に同期して、スピンドルモータ２０３の回転を制御するスピンドルサーボ、光ピックアップ２０２の光ディスク１に対する相対的位置制御であるフォーカスサーボ及びトラッキングサーボを実行する。
【００４２】
光ピックアップ２０２は、再生ビームを照射するレーザダイオード、４分割検出回路を備える（図示略）。４分割検出回路は、再生ビームの反射光を図４に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。光ピックアップ２及びヘッドアンプ４は上述した読取手段に相当する。
【００４３】
総和生成回路２１０は、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号である。
【００４４】
ピットデータ復調回路２１１は、総和読取信号ＳＲＦに基づいてピットデータＤＰを再生すると共に第１クロック信号ＣＫ１を生成する。総和生成回路２１０及びピットデータ復調回路２１１は、上述した第１データ再生手段に相当する。
【００４５】
図５は、ピットデータ復調回路２１１の構成を示すブロック図である。この図に示すようにピットデータ復調回路２１１は、第１クロック信号再生回路３１、ピットデータ抜出回路３２、同期信号検出回路３３、ピットデータ復調回路３４、及びデスクランブル回路３５を備える。
【００４６】
第１クロック信号再生回路３１は、総和読取信号ＳＲＦに基づいてピットデータＤＰに同期した第１クロック信号ＣＫ１を再生する。ピットデータ抜出回路３２は、総和読取信号ＳＲＦを２値化して得た２値化信号を第１クロック信号ＣＫ１でサンプリングして、ピットデータＤＰを再生する。
【００４７】
同期信号検出回路３３は、再生されたピットデータＤＰに含まれる同期パターンを検出し、ピット同期信号ＳＹＮＣｐを生成する。同期パターンは、他のピットデータに含まれていない特定のデータパターンであって、一定の周期を有する。ピット同期信号ＳＹＮＣｐは、同期パターンのタイミングを指示する信号である。
【００４８】
ピットデータ復調回路３４は、ピット同期信号ＳＹＮＣｐを基準位置として、再生されたピットデータＤＰを所定のテーブルを用いて復調して再生データを生成する。例えば、変調方式として８−１６変調が採用される場合には、１６ビットのピットデータＤＰを８ビットの再生データに変換する処理が施される。デスクランブル回路３５は再生データの順序を予め定められた規則に従って並べ換えるデスクランブル処理を実行し、処理済の再生データを出力する。
【００４９】
このようにして得られた再生データは、図４に示すピットデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。
【００５０】
図４に戻り、説明を続ける。プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。即ち、再生ビームがピットに対して左側に偏っていれば、プッシュプル信号は振幅中心を基準として正極性となり、再生ビームがピットの中央に位置する場合はプッシュプル信号の値は振幅中心となり、再生ビームがピットに対して右側に偏っていれば、プッシュプル信号は振幅中心を基準として負極性となる。再生ビームとピットの相対的な位置は、トラックの蛇行に応じて変化し、プッシュプル信号の値は再生ビームとピットの相対的な位置関係を表している。即ち、プッシュプル信号は、トラックの蛇行に応じた信号である。
【００５１】
プッシュプル信号はローパスフィルタ２２１を介してサーボユニット２２２へ出力される。サーボユニット２２２は、プッシュプル信号に基づいてトラッキング制御を実行する。また、プッシュプル信号はバンドパスフィルタ２２３に供給される。バンドパスフィルタ２２３の通過帯域は、記録時においてウォブルデータＤＷをスペクトラム拡散変調して得たウォブル信号ＷＢをプッシュプル信号から抽出できるように設定されている。従って、バンドパスフィルタ２２３は、プッシュプル信号生成回路２２０と共に、上述したウォブル信号生成手段を構成し、その出力信号は、光ディスク１からウォブル信号ＷＢを再生したものとなる。
【００５２】
図６にウォブル信号ＷＢ、２値化信号Ａ、第１クロック信号ＣＫ１、第２クロック信号ＣＫ２、及びピット同期信号ＳＹＮＣｐのタイミングチャートを示す。コンパレータ２２４は、ウォブル信号ＷＢを２値化した２値化信号Ａを出力する。ウォブル信号ＷＢは、周波数が低いので、ゼロクロス付近において波形の傾きが緩やかである。このため、２値化信号Ａは大きなジッタ成分を有する。サンプリング回路２２５は、第２クロック信号ＣＫ２を用いて２値化信号Ａをサンプリングして、データを抜き出してスペクトラム拡散データＳＳを再生する。
【００５３】
この例では、第１クロック信号ＣＫ１の周波数ｆ１が１０．５ＭＨｚであり、第２クロック信号ＣＫ２の周波数ｆ２が４２０ＫＨｚであるため、分周回路２２６は、第１クロック信号ＣＫ１を１／２５分周して第２クロック信号ＣＫ２を生成する。従って、図６に示すように第２クロック信号ＣＫ２の一周期の中に２５個の第１クロック信号ＣＫ１が入る。また、分周回路２２６は、リセット端子Ｒの電圧がアクティブ（ローレベル）になると、リセットされるようになっており、このリセット端子Ｒにはピット同期信号ＳＹＮＣｐが供給される。従って、第２クロック信号ＣＫ２は、ピット同期信号ＳＹＮＣｐの立下りによってリセットされ、その位相がピット同期信号ＳＹＮＣｐによって定まる。
【００５４】
ピットデータＤＰには、２５＊Ｋ（Ｋは自然数）ビットの周期で同期パターンが挿入されており、同期パターンの開始と第２クロック信号ＣＫ２の立ち上りエッジが一致する関係にある。即ち、同期パターンは第２クロック信号ＣＫ２の自然数倍の周期を有する。この場合、図６に示すタイミングでピット同期信号ＳＹＮＣｐがアクティブとなると、分周回路２２６がリセットされ、ピット同期信号ＳＹＮＣｐと第２クロック信号ＣＫ２の位相が調整される。これによって、第２クロック信号ＣＫ２の立ち上がりエッジの発生タイミングを、より周波数の高い第１クロック信号ＣＫ１によって調整することができる。従って、２値化信号Ａのエッジがジッタの影響を受けて揺らいでも、確実にスペクトラム拡散データＳＳを抜き出すことが可能となる。
【００５５】
図４に戻り、説明を続ける。ＲＡＮＤテーブル２２７には、記録時のスペクトラム拡散変調に用いたランダム化パターンが記憶されている。ランダム化パターンは拡散符号に相当し、ランダム関数を用いて生成されるビット列である。ＲＡＮＤテーブル２２７には第２クロック信号ＣＫ２が供給され、第２クロック信号ＣＫ２に同期してランダム化パターンが読み出されることによりランダムデータＲＮＤが生成され、生成されたランダムデータＲＮＤはスペクトラム拡散復調回路２２８に供給される。また、サンプリング回路２２５から出力されるスペクトラム拡散データＳＳはスペクトラム拡散復調回路２２８に供給される。スペクトラム拡散データＳＳとランダムデータＲＮＤを掛け算して、ウォブルデータＤＷを生成する。この際、元々の信号帯域でない信号は、掛け算によって帯域外の信号に変換される。尚、コンパレータ２２４、サンプリング回路２２５、分周回路２２６、ＲＡＮＤテーブル２２７、及びスペクトラム拡散復調回路２２８によって、上述した第２データ再生手段が構成される。
【００５６】
ウォブルデータ再生回路２２９には、ピットデータ復調回路２１１から出力されたピット同期信号ＳＹＮＣｐが供給される。ウォブルデータ再生回路２２９は上述した同期信号除去手段に相当する。ウォブルデータ再生回路２２９は、ピット同期信号ＳＹＮＣｐが供給されるタイミングに基づいて、ウォブルデータＤＷより第１ウォブル同期信号ＳＹＮＣｗおよび第２ウォブル同期信号Ｄ−ＳＹＮＣｗを除去する。
【００５７】
こうして同期信号が除去されたウォブルデータＤＷは、エラー訂正回路２３０においてエラー訂正が施される。
【００５８】
このように情報再生装置２００では、ウォブルデータ再生回路２２９が、ピット同期信号ＳＹＮＣｐに基づいて、ウォブルデータＤＷより第１ウォブル同期信号ＳＹＮＣｗを検出することにより、ウォブルデータＤＷの再生を容易に行うことが可能となる。一方、第１ウォブル同期信号ＳＹＮＣｗの規則的な周期を知らない不正コピー業者が、光ディスク１よりウォブルデータＤＷを再生しようとしても、第１ウォブル同期信号ＳＹＮＣｗと第２ウォブル同期信号Ｄ−ＳＹＮＣｗのいずれが真の同期信号か判断するのは困難である。従って、本実施例によれば、ウォブルデータＤＷの秘匿性を向上させることが可能となる。
【００５９】
＜２．第２実施例＞
＜２−１：光ディスクの基本構成＞
第２実施例において、光ディスクには、図１に示す光ディスク１の構成と同様記録マークの長短によってピットデータＤＰが記録される一方、これとは別に記録マークの蛇行によってウォブルデータＤＷが重畳的に記録されている。
【００６０】
また、ピットデータＤＰは図２に示すピットデータＤＰの構成と同様であり、ウォブルデータＤＷに配置される第１ウォブル同期信号ＳＹＮＣｗ及び第２ウォブル同期信号Ｄ−ＳＹＮＣｗの詳細な構成が、図２に示すウォブルデータＤＷと異なっている。
【００６１】
第２実施例では、光ディスクにおいて、第１ウォブル同期信号ＳＹＮＣｗは更に暗号化されて記録されると共に、第２ウォブル同期信号Ｄ−ＳＹＮＣｗは第１ウォブル同期信号ＳＹＮＣｗの暗号化処理に係る情報、及び第１ウォブル同期信号ＳＹＮＣｗの記録位置を示す情報を含む。
【００６２】
図７に、第２ウォブル同期信号Ｄ−ＳＹＮＣｗのデータフォーマットを示す。第２実施例では、第１実施例と同様、第１ウォブル同期信号ＳＹＮＣｗ及び第２ウォブル同期信号Ｄ−ＳＹＮＣｗは夫々３バイト、即ち３×８ビットによって構成される。図７に示す表において、第１列目は第２ウォブル同期信号Ｄ−ＳＹＮＣｗにおけるビットポジションを、当該第２ウォブル同期信号Ｄ−ＳＹＮＣｗの開始位置を０ビットとし、この０ビット目から数えたビット数によって表すと共に、第２列目は、第１列目に示されるビットポジションに記録されるデータ内容を表す。
【００６３】
図７に示すように、第２ウォブル同期信号Ｄ−ＳＹＮＣｗにおいて、０ビット目から１５ビット目までは、当該第２ウォブル同期信号Ｄ−ＳＹＮＣｗの同期パターンが記録されると共に、１６ビット目及び１７ビット目にかけて、第１ウォブル同期信号ＳＹＮＣｗの暗号化処理に用いた暗号パターンを表すパターンナンバーが記録され、１８ビット目から２３ビット目までは、当該第２ウォブル同期信号Ｄ−ＳＹＮＣｗより後に、当該第２ウォブル同期信号Ｄ−ＳＹＮＣｗに続いて記録される第１ウォブル同期信号ＳＹＮＣｗの、当該第２ウォブル同期信号Ｄ−ＳＹＮＣｗに対する相対的な記録位置が記録される。ここで、例えば、第１同期信号ＳＹＮＣｗが、所定の乱数系列又は所定の暗号化テーブルを用いて暗号化されている場合、第２ウォブル同期信号Ｄ−ＳＹＮＣｗには、パターンナンバーとして、所定の乱数系列を指定する乱数系列番号又は所定の暗号化テーブルを指定する暗号化テーブル番号が記録される。
【００６４】
第１実施例では、第２ウォブル同期信号Ｄ−ＳＹＮＣｗは、第１ウォブル同期信号ＳＹＮＣｗの信号パターンと同一の信号パターンとして構成されている。よって、光ディスク１の再生時、不正コピー業者が仮に第１ウォブル同期信号ＳＹＮＣｗ及び第２ウォブル同期信号Ｄ−ＳＹＮＣｗのいずれかが真の同期信号であるとしてウォブルデータＤＷの再生を試みれば、該ウォブルデータＤＷの再生を成功する可能性がある。
【００６５】
一方、第２実施例によれば、第１ウォブル同期信号ＳＹＮＣｗは更に暗号化されて記録される。そして、第２ウォブル同期信号Ｄ−ＳＹＮＣｗには、暗号化された第１ウォブル同期信号ＳＹＮＣｗの記録位置を示す情報と、該第１ウォブル同期信号ＳＹＮＣｗに施された暗号化を解くための「鍵」に係る情報とが含まれる。
【００６６】
よって、第２実施例では、上述したような第１ウォブル同期信号ＳＹＮＣｗ及び第２ウォブル同期信号Ｄ−ＳＹＮＣｗの記録に係るルールを知らない不正コピー業者が、光ディスク１よりウォブル信号ＷＢを再生し、該ウォブル信号ＷＢより第２ウォブル同期信号Ｄ−ＳＹＮＣｗを得ることができたとしても、第１ウォブル同期信号ＳＹＮＣｗを再生することは非常に困難となる。その結果、第２実施例では、第１実施例と比較してウォブルデータＤＷの秘匿性を飛躍的に向上させることが可能となる。
【００６７】
＜２−２：マスタリング装置の全体構成＞
図８は、第２実施例におけるマスタリング装置の全体構成を示すブロック図である。第２実施例におけるマスタリング装置は、ダミーＳＹＮＣ生成回路の詳細な構成及び暗号化回路を備える点を除いて、図３に示す、第１実施例におけるマスタリング装置１００の構成と同様である。よって、第２実施例におけるマスタリング装置について、図８を参照してダミーＳＹＮＣ生成回路及び暗号化回路についてのみ説明する。
【００６８】
ダミーＳＹＮＣ生成回路２５には、後述する暗号化処理で用いられた暗号のパターンを表すパターンナンバーＰＮが供給される。ダミーＳＹＮＣ生成回路２５は、第２ウォブル同期信号Ｄ−ＳＹＮＣｗを、第１ウォブル同期信号ＳＹＮＣｗが生成されるタイミングからランダムな時間遅延したタイミングで発生させる。そして、ダミーＳＹＮＣ生成回路２５によって、第１ウォブル同期信号ＳＹＮＣｗが生成されるタイミングと第２ウォブル同期信号Ｄ−ＳＹＮＣｗの生成のタイミングとの時間関係が、第１ウォブル同期信号ＳＹＮＣｗの相対的な記録位置に係る情報として、第２ウォブル同期信号Ｄ−ＳＹＮＣｗに記録される。また、ダミーＳＹＮＣ生成回路２５は、供給されたパターンナンバーＰＮを第２ウォブル同期信号Ｄ−ＳＹＮＣｗに記録する。
【００６９】
また、暗号化回路２６は、複数の暗号パターンより１種の暗号パターンを用いて第１ウォブル同期信号ＳＹＮＣｗを暗号化する。暗号化回路２６は図８には図示しないメモリを有しており、このメモリには複数の暗号パターンが、夫々パターンナンバーと対応付けられて格納されている。
【００７０】
スペクトラム拡散変調回路１９は、暗号化回路２６が、暗号化された第１ウォブル同期信号ＳＹＮＣｗを生成するタイミングに基づいて、ウォブルデータＤＷに第１ウォブル同期信号ＳＹＮＣｗを付加する。
【００７１】
＜２−３．情報再生装置＞
図９は、第２実施例における情報再生装置の全体構成を示すブロック図である。第２実施例における情報再生装置は、ダミーＳＹＮＣ抜出回路、ダミーＳＹＮＣメモリ、ウォブルデータメモリ、及び第１ウォブル同期信号検出回路を更に備える点を除いて、図４に示す情報再生装置２００の構成と同様である。よって、第２実施例における情報再生装置について、図９を参照して、第１実施例の情報再生装置２００と異なる点についてのみ説明する。
【００７２】
ダミーＳＹＮＣ抜出回路２３１は、スペクトラム拡散復調回路２２８によって生成されるウォブルデータＤＷより第２ウォブル同期信号Ｄ−ＳＹＮＣｗを順次抜き出す。尚、ダミーＳＹＮＣ抜出回路２３１は、上述した第２同期信号検出手段に相当する。
【００７３】
ダミーＳＹＮＣメモリ２３２には、ダミーＳＹＮＣ抜出回路２３１によって抜き出された順に応じて、第２ウォブル同期信号Ｄ−ＳＹＮＣｗが格納される。また、ウォブルデータメモリ２３４にはスペクトラム拡散復調回路２２８によって生成されるウォブルデータＤＷが格納される。
【００７４】
第１ウォブル同期信号検出回路２３５は上述した同期信号除去手段および第１同期信号検出手段に相当し、ウォブルデータメモリ２３４よりウォブルデータＤＷを読み出す。また、第１ウォブル同期信号検出回路２３５は、ダミーＳＹＮＣメモリ２３２より、第２ウォブル同期信号Ｄ−ＳＹＮＣｗの格納順位に従って、各第２ウォブル同期信号Ｄ−ＳＹＮＣｗにおける第１ウォブル同期信号ＳＹＮＣｗの記録位置に係る情報ＲＳＰ及びパターンナンバーＰＮを読み出す。
【００７５】
続いて、第１ウォブル同期信号検出回路２３５は、読み出したウォブルデータＤＷのうち、読み出した第１ウォブル同期信号ＳＹＮＣｗの記録位置に係る情報ＲＳＰによって特定されるデータに対して、夫々対応するパターンナンバーＰＮに基づいて復号化処理を施す。第１ウォブル同期信号検出回路２３５には、図９には図示しないメモリが設けられており、このメモリには記録時に第１ウォブルデータＳＹＮＣｗの暗号化処理に用いられた暗号パターンが、夫々パターンナンバーと対応付けられて格納されている。第１ウォブル同期信号検出回路２３５は、復号化処理を、パターンナンバーＰＮと対応する暗号パターンをメモリより読み出して、読み出した暗号パターンを用いて行う。
【００７６】
そして、復号化処理の結果、復号化されたデータより、第１ウォブル同期信号ＳＹＮＣｗを検出する。続いて、検出された第１ウォブル同期信号ＳＹＮＣｗに基づいて、ウォブルデータＤＷより第１ウォブル同期信号ＳＹＮＣｗおよび第２ウォブル同期信号Ｄ−ＳＹＮＣｗを除去する。
【００７７】
こうして同期信号が除去された実データは、エラー訂正回路２３０においてエラー訂正が施される、
【００７８】
このように第２実施例における情報再生装置２００では、ウォブルデータＤＷより第２ウォブル同期信号Ｄ−ＳＹＮＣｗを検出し、該第２ウォブル同期信号Ｄ−ＳＹＮＣｗに含まれる第１ウォブル同期信号ＳＹＮＣｗの記録位置に係る情報ＲＳＰ及びパターンナンバーＰＮを用いることにより、第１ウォブル同期信号ＳＹＮＣｗを容易に検出することができる。よって、第２実施例によれば、検出した第１ウォブル同期信号ＳＹＮＣｗに基づいてウォブルデータＤＷより実データを容易に再生することが可能となる。
【００７９】
一方、第２実施例における第１ウォブル同期信号ＳＹＮＣｗ及び第２ウォブル同期信号Ｄ−ＳＹＮＣｗの記録に係るルールを知らない不正コピー業者が、光ディスク１よりウォブル信号ＷＢを再生し、該ウォブル信号ＷＢより第２ウォブル同期信号Ｄ−ＳＹＮＣｗを得ることができたとしても、第１ウォブル同期信号ＳＹＮＣｗを再生することは非常に困難となる。その結果、第２実施例では、第１実施例と比較してウォブルデータＤＷの秘匿性を飛躍的に向上させることが可能となる。
【００８０】
＜３．第３実施例＞
＜３−１：光ディスクの基本構成＞
第３実施例において、光ディスクには、図１に示す光ディスク１の構成と同様記録マークの長短によってピットデータＤＰが記録される一方、これとは別に記録マークの蛇行によってウォブルデータＤＷが重畳的に記録されている。
【００８１】
図１０（ａ）にピットデータＤＰ及びウォブルデータＤＷのデータフォーマットを示し、図１０（ｂ）に第２ウォブル同期信号Ｄ−ＳＹＮＣｗのデータフォーマットを表す表を示す。
【００８２】
第３実施例において、ピットデータＤＰは図２に示すピットデータＤＰの構成と同様である。一方、ウォブルデータＤＷが図２に示す第１実施形態のフォーマットと相違する。
【００８３】
図１０（ａ）に示すように、第３実施例では、３×２５バイトから構成される１セクターのウォブルデータＤＷのうち、３バイトのデータを第２ウォブル同期信号Ｄ−ＳＹＮＣｗとし、この第２ウォブル同期信号Ｄ−ＳＹＮＣｗの記録位置と、第２データ中の所定の３バイトデータ（以下、置換データＥＤ：Ｅｘｃｈａｎｇｅｄ  ＤＡＴＡと称する。）の記録位置が入れ替えて記録されている。よって、第３実施例において、ダミーの同期信号である第２ウォブル同期信号Ｄ−ＳＹＮＣｗは、ウォブルデータＤＷの開始位置（セクター先頭）からずれた位置に記録される。
【００８４】
図１０（ｂ）に第２ウォブル同期信号Ｄ−ＳＹＮＣｗのデータフォーマットを示す。第１列目は、第２ウォブル同期信号Ｄ−ＳＹＮＣｗにおけるビットポジションを、当該第２ウォブル同期信号の開始位置を０ビットとし、この０ビット目から数えたビット数によって表すと共に、第２列目は、第１列目に示されるビットポジションに記録されるデータ内容を表す。
【００８５】
図１０（ｂ）に示すように、第２ウォブル同期信号Ｄ−ＳＹＮＣｗにおいて、０ビット目から１５ビット目までは、当該第２ウォブル同期信号Ｄ−ＳＹＮＣｗの同期パターンが記録されると共に、１６ビット目及び２３ビット目にかけて、当該第２ウォブル同期信号Ｄ−ＳＹＮＣｗと入れ替えられた置換データＥＤとの相対的な記録位置、即ち第２ウォブル同期信号Ｄ−ＳＹＮＣｗが配置された位置に本来置かれるべき置換データＥＤの記録位置を示す位置情報が記録される。
【００８６】
よって、光ディスク１の再生時に、該光ディスク１より再生されたウォブル信号ＷＢより、例え第２ウォブル同期信号Ｄ−ＳＹＮＣｗを得ることができたとしても、第２ウォブル同期信号Ｄ−ＳＹＮＣｗのデータ構造を理解していなければ、第２ウォブル同期信号Ｄ−ＳＹＮＣｗと置換データＥＤとを入れ替えることができず、ウォブルデータＤＷを再生することはできない。従って、このような第２ウォブル同期信号Ｄ−ＳＹＮＣｗの記録に係るルールを知らない不正コピー業者は、ウォブルデータＤＷを再生することは非常に困難となる。その結果、第３実施例ではウォブルデータＤＷの秘匿性を飛躍的に向上させることが可能となる。
【００８７】
＜３−２：マスタリング装置の全体構成＞
図１１は、第３実施例におけるマスタリング装置の全体構成を示すブロック図である。第３実施例におけるマスタリング装置は、ＥＣＣ回路１７とスペクトラム拡散変調回路１９との間に置換回路２７を設けた点を除いて、図３に示す、第１実施例におけるマスタリング装置１００の構成と同様である。
【００８８】
第３実施例において、ＳＹＮＣタイミング生成回路２３は、第１ウォブル同期信号ＳＹＮＣｗを置換回路２７に供給する。第１ウォブル同期信号ＳＹＮＣｗは、ウォブルデータＤＷの開始タイミングで出力される。即ち、各同期フレームの先頭で第１ウォブル同期信号ＳＹＮＣｗが出力される。第１ウォブル同期信号ＳＹＮＣｗは、ダミーＳＹＮＣ生成回路２４により、上述したように同期パターンの他に置換データＥＤとの相対的な記録位置を示す位置情報を含む第２ウォブル同期信号Ｄ−ＳＹＮＣｗとなって出力される。なお、置換データＥＤとの相対的な記録位置は、シンクフレーム毎にランダムに変えても良いし、記録開始や電源投入など、所定のタイミングでランダムに変更し、記録中は常に同じ値を保つなどしても良い。
【００８９】
置換回路２７は、第２ウォブル同期信号Ｄ−ＳＹＮＣｗに含まれる置換データＥＤとの相対的な記録位置を示す情報を参照して、ウォブルデータＤＷの中から置換データＥＤを特定し、特定した置換データＥＤと第２ウォブル同期信号Ｄ−ＳＹＮＣｗとの記録位置を入れ替える。このように記録位置を入れ替えたウォブルデータＤＷがスペクトラム拡散変調され、さらに、ウォブル信号ＷＢに変換されてディスク原盤ＤＳに記録される。ディスク原盤ＤＳを用いて製造された光ディスク１には、第２ウォブル同期信号Ｄ−ＳＹＮＣｗがウォブルデータＤＷの開始位置からずれた位置に記録されおり、且つ、第２ウォブル同期信号Ｄ−ＳＹＮＣｗと置換データＥＤとの記録位置が置換されている。即ち、第２ウォブル同期信号Ｄ−ＳＹＮＣｗの記録位置を正規の位置からずらすこと自体で、ウォブルデータＤＷにスクランブルが施されている。このため、不正なコピー業者が、同期パターンの検出に成功したとしても、入れ替えの規則を知らない限りウォブルデータＤＷを正しく再生することができないので、ウォブルデータＤＷの秘匿性を飛躍的に向上させることが可能となる。
【００９０】
＜３−３．情報再生装置＞
図１２は、第３実施例における情報再生装置の全体構成を示すブロック図である。第３実施例における情報再生装置は、ウォブルデータメモリ２３４及び第２ウォブル同期信号検出回路２３８を更に備える点と、ウォブルデータ再生回路２３７の詳細な構成とを除いて、図４に示す情報再生装置２００の構成と同様である。
【００９１】
ウォブルデータメモリ２３４にはスペクトラム拡散復調回路２２８によって生成されるウォブルデータＤＷが格納される。第２ウォブル同期信号検出回路２３８は、ウォブルデータメモリ２３４に格納されたウォブルデータＤＷから第２ウォブル同期信号Ｄ−ＳＹＮＣｗを検出して、第２ウォブル同期信号ＳＹＮＣｗがウォブルデータメモリ２３４に記憶されている記憶領域を示すアドレス情報と第２ウォブル同期信号Ｄ−ＳＹＮＣｗと置換データＥＤとの相対的な記録位置を示す位置情報とをウォブルデータ再生回路２３７へ出力する。
【００９２】
ウォブルデータ再生回路２３７は上述した置換手段および同期信号除去手段に相当し、第１に、アドレス情報と相対的な記録位置を示す位置情報とに基づいて、置換データＥＤがウォブルデータメモリ２３４に記憶されている記憶領域を特定する。第２に、当該記憶領域から読み出した置換データＥＤと、アドレス情報の示す記憶領域から読み出した第２ウォブル同期信号Ｄ−ＳＹＮＣｗとを入れ替えて、スクランブルを解除したウォブルデータＤＷを再生する。これによって、図１０（ａ）に示すように、各同期フレームの先頭に第２ウォブル同期信号Ｄ−ＳＹＮＣｗが配置され、且つ、置換データＥＤが正規の位置に戻される。また、ウォブルデータ再生回路２３７は、第３に、このようにして一定間隔となった第２ウォブル同期信号Ｄ−ＳＹＮＣに基づいて、ウォブルデータ読取クロックを生成すると共に、再生されたウォブルデータＤＷから第２ウォブル同期信号Ｄ−ＳＹＮＣｗを除去する。このようにして同期信号が除去された再生データはエラー訂正回路２３０へ供給され、エラー訂正が施された後、外部機器へ出力される。
【００９３】
第３実施例の情報再生装置によれば、第２ウォブル同期信号Ｄ−ＳＹＮＣｗに含まれる第２ウォブル同期信号Ｄ−ＳＹＮＣｗと置換データＥＤとの相対的な記録位置を示す位置情報を参照して置換データＥＤを正しい位置に戻すので、ウォブルデータＤＷを正しく再生することが可能となる。
【図面の簡単な説明】
【図１】ディスク原盤ＤＳに形成されるトラックを示す説明図である。
【図２】本発明の第１実施例に係るピットデータＤＰ及びウォブルデータＤＷのデータフォーマットを示す説明図である。
【図３】本発明の第１実施例に係るマスタリング装置１００の全体構成を示すブロック図である。
【図４】本発明の第１実施例に係る情報再生装置２００の全体構成を示すブロック図である。
【図５】ピットデータ復調回路２１１の構成を示すブロック図である。
【図６】ウォブル信号ＷＢ、２値化信号Ａ、第１クロック信号ＣＫ１、第２クロック信号ＣＫ２、及びピット同期信号ＳＹＮＣｐのタイミングチャートである。
【図７】本発明の第２実施例に係る第２ウォブル同期信号のデータフォーマットを示す説明図である。
【図８】本発明の第２実施例に係るマスタリング装置１００の全体構成を示すブロック図である。
【図９】本発明の第２実施例に係る情報再生装置２００の全体構成を示すブロック図である。
【図１０】図１０（ａ）は、本発明の第３実施例に係るピットデータＤＰ及びウォブルデータＤＷのデータフォーマットを示す説明図であり、図１０（ｂ）は、第１ウォブル同期信号のデータフォーマットを示す説明図である。
【図１１】本発明の第３実施例に係るマスタリング装置１００の全体構成を示すブロック図である。
【図１２】本発明の第３実施例に係る情報再生装置２００の全体構成を示すブロック図である。
【符号の説明】
１  光ディスク
２４、２５  ダミーＳＹＮＣ生成回路
２７  置換回路
１００  マスタリング装置
２００  情報再生装置
２２７  ＲＡＮＤテーブル
２２８  スペクトラム拡散復調回路
２２９  ウォブルデータ再生回路
２３５  第１ウォブル同期信号検出回路
Ｄｉｎ  入力データ
ＤＰ  ピットデータ
ＤＷ  ウォブルデータ
ＳＳ  スペクトラム拡散データ
ＣＫ１  第１クロック信号
ＣＫ２  第２クロック信号
【図１】
2005038458.tif 000003
【図２】
2005038458.tif 000004
【図３】
2005038458.tif 000005
【図４】
2005038458.tif 000006
【図５】
2005038458.tif 000007
【図６】
2005038458.tif 000008
【図７】
2005038458.tif 000009
【図８】
2005038458.tif 000010
【図９】
2005038458.tif 000011
【図１０】
2005038458.tif 000012
【図１１】
2005038458.tif 000013
【図１２】
2005038458.tif 000014